(57)【要約】【課題】コピー不可コンテンツとコピー可能コンテンツとが一部重なりあったのりしろを持って再生されたとしてもコピー可能なコンテンツのみをダビングすることができる。【解決手段】この発明の装置では、コンテンツ記録再生処理部２０１は、情報記録媒体にコピー可能コンテンツストリームとコピー不可能コンテンツストリームとを混在させて記録し、かつ読取り時には隣り合うコンテンツストリームにのりしろを持たせて読取る。管理ファイル記録処理部６０１は、前記コピー可能コンテンツストリーム及びまたはコピー不可能コンテンツストリームが記録されるとき、各コンテンツストリームに含まれるコピー制御情報をチェックし、前記コピー可能コンテンツストリームとコピー不可能コンテンツストリームの切換わり部を特定するコピー制御情報管理ファイルを生成して保存部に記録する。【選択図】      図１
2010009699.tif 000002
【特許請求の範囲】
【請求項１】
情報記録媒体にコピー可能コンテンツストリームとコピー不可能コンテンツストリームとを混在させて記録し、かつ読取り時には隣り合うコンテンツストリームにのりしろを持たせて読取るコンテンツ記録再生処理部と、
前記コピー可能コンテンツストリーム及びまたはコピー不可能コンテンツストリームが記録されるとき、各コンテンツストリームに含まれるコピー制御情報をチェックし、前記コピー可能コンテンツストリームとコピー不可能コンテンツストリームの切換わり部を特定するコピー制御情報管理ファイルを生成して保存部に記録する管理ファイル記録処理部を有することを特徴とする情報記録再生装置。
【請求項２】
前記管理ファイル記録処理部は、放送信号受信中の前記ストリームに含まれるコピー制御情報に基づいて前記コピー制御情報管理ファイルをリアルタイムで生成することを特徴とする請求項１記載の情報記録再生装置。
【請求項３】
前記コピー制御情報管理ファイル内のコピー制御情報が読取り不可能なときは、前記記録媒体に記録されている前記コピー可能コンテンツストリーム及びまたはコピー不可能コンテンツストリームに含まれるコピー制御情報の解析結果に基づいて、新たなコピー制御情報を生成して前記コピー制御情報管理ファイルに格納する新コピー制御情報生成部を有することを特徴とする請求項１記載の情報記録再生装置。
【請求項４】
前記コピー制御情報管理ファイルのコピー制御情報のエラーチェックを行いエラーが生じているときは、前記記録媒体に記録されている前記コピー可能コンテンツストリーム及びまたはコピー不可能コンテンツストリームに含まれるコピー制御情報を解析し、新たなコピー制御情報を生成して前記コピー制御情報管理ファイルに格納する新コピー制御情報生成部を有することを特徴とする請求項１又は３記載の情報記録再生装置。
【請求項５】
情報記録媒体にコピー可能コンテンツストリームとコピー不可能コンテンツストリームとを混在させて記録し、かつ読取り時には隣り合うコンテンツストリームにのりしろを持たせて読取る装置の情報記録再生方法において、
前記コピー可能コンテンツストリーム及びまたはコピー不可能コンテンツストリームが記録されるとき、各コンテンツストリームに含まれるコピー制御情報をチェックし、前記コピー可能コンテンツストリームとコピー不可能コンテンツストリームの切換わり部を特定するコピー制御情報管理ファイルを生成して保存部に記録するようにしたことを特徴とする情報記録再生方法。
【請求項６】
放送信号受信中の前記ストリームに含まれるコピー制御情報に基づいて前記コピー制御情報管理ファイルをリアルタイムで生成することを特徴とする請求項５記載の情報記録再生方法。
【請求項７】
記録媒体に記録されている前記コピー可能コンテンツストリーム及びまたはコピー不可能コンテンツストリームに含まれるコピー制御情報の解析結果に基づいて、新たなコピー制御情報を生成することを特徴とする請求項５又は６記載の情報記録再生方法。
【請求項８】
前記コピー可能コンテンツストリームのコピー回数を管理し、のこり１回についてコピー指示があったときは移動処理を実行することを特徴とする請求項５又は６記載の情報記録再生方法。
【請求項９】
放送信号より受信したコンテンツを記録媒体に記録する録画装置を有したテレビジョン受信装置において、
前記記録媒体にコピー可能コンテンツストリームとコピー不可能コンテンツストリームとを混在させて記録し、かつ読取り時には隣り合うコンテンツストリームにのりしろを持たせて読取るコンテンツ記録再生処理部と、
前記コピー可能コンテンツストリーム及びまたはコピー不可能コンテンツストリームが記録されるとき、各コンテンツストリームに含まれるコピー制御情報をチェックし、前記コピー可能コンテンツストリームとコピー不可能コンテンツストリームの切換わり部を特定するコピー制御情報管理ファイルを生成して保存部に記録する管理ファイル記録処理部とを有したことを特徴とするテレビジョン受信装置。
【請求項１０】
前記管理ファイル記録処理部は、放送信号受信中の前記ストリームに含まれるコピー制御情報に基づいて前記コピー制御情報管理ファイルをリアルタイムで生成し、
前記コピー制御情報管理ファイル内のコピー制御情報が読取り不可能なときは、前記記録媒体に記録されている前記コピー可能コンテンツストリーム及びまたはコピー不可能コンテンツストリームに含まれるコピー制御情報の解析結果に基づいて、新たなコピー制御情報を生成して前記コピー制御情報管理ファイルに格納する新コピー制御情報生成部を有することを特徴とする請求項９記載のテレビジョン受信装置。
【発明の詳細な説明】
【技術分野】
【０００１】
この発明は情報記録再生装置と情報記録再生方法及びテレビジョン受信装置に関するものであり、特にコンテンツを記録するときの信頼性を上げる機能を実現した内容である。
【背景技術】
【０００２】
一般に著作権で保護されている放送コンテンツに対しては、コピー世代管理情報が付加されている。つまり放送コンテンツを記録媒体に記録し、ダビングを行う際コピー回数の制限が行なわれる。しかし実際の放送コンテンツでは、コピー回数が１回のもの（コピーワンス）、１０回可能なもの（ダビング１０。正確には９回のコピーと１回のムーブ）、何度でもコピーできるもの（コピーフリー）、コピー不可能なもの（コピーネバー）が混在する。そのためにダビングを行う際にコンテンツに含まれている制御情報を判断し、当該コンテンツがコピー可能か否かを判断し、コピー可能なコンテンツのみをダビングする技術がある（例えば特許文献１）。
【０００３】
この技術ではコピーワンス部とコピーフリー部とが混在しているとき、これらを識別するための管理情報を生成して記録する技術である。しかしこの技術は、あくまでもコンテンツの境界が明確に区別されるコンテンツ記録方法を採用している。このために、例えば記録始めと記録終わり部分にのりしろを持ってコンテンツを再生する方法であると、管理情報が十分に活用できないという問題がある。
【特許文献１】特開２００６−３５２４５３号公報
【発明の開示】
【発明が解決しようとする課題】
【０００４】
この発明の目的は、コピー不可コンテンツとコピー可能コンテンツとが一部重なりあったのりしろを持って再生されたとしてもコピー可能なコンテンツのみをダビングすることができる情報記録再生装置と情報記録再生方法及びテレビジョン受信装置を提供すことにある。
【課題を解決するための手段】
【０００５】
上記課題を解決するために、情報記録媒体にコピー可能コンテンツストリームとコピー不可能コンテンツストリームとを混在させて記録し、かつ読取り時には隣り合うコンテンツストリームにのりしろを持たせて読取るコンテンツ記録再生処理部と、前記コピー可能コンテンツストリーム及びまたはコピー不可能コンテンツストリームが記録されるとき、各コンテンツストリームに含まれるコピー制御情報をチェックし、前記コピー可能コンテンツストリームとコピー不可能コンテンツストリームの切換わり部を特定するコピー制御情報管理ファイルを生成して保存部に記録する管理ファイル記録処理部を有する。
【発明の効果】
【０００６】
上記の手段によると、コピー可能コンテンツをダビングするときにコピー制御情報管理ファイルのコピー制御情報に基づいて、コピー可能コンテンツだけをダビングできる。特にのりしろの部分で、コピー不可能コンテンツが存在するような場合にコピー不可能コンテンツを避けてコピー可能コンテンツのみを取り出すことが可能となる。つまり、コピー不可能部分をコピーすることがない。
【発明を実施するための最良の形態】
【０００７】
以下図面を参照して、この発明の実施の形態を説明する。図１はこの発明が適用された例えば多チャンネル録画再生サーバ１０の構成例を示している。この装置は、チューナ装置１００として複数のチューナ部、例えば４つのチューナ部１０１、１０２、１０３、１０４を有し、同時に複数のチャンネルを受信することができる。チューナ部の数は一例であり、もっと多くても良い。チューナ部１０１、１０２、１０３、１０４から出力された受信チャンネル、例えばCH1-CH4のトランスポートストリームは、録画再生制御部２００と電子番組案内情報（EPG)処理部３０１に送られる。
【０００８】
録画再生制御部２００は、番組信号に関する信号処理を行うもので、録画装置２１０に対する記録再生処理を実行する。
【０００９】
ここで記録処理は例えばチューナ部の数と同じ数分のトランスポートストリームを全部行える。このため録画装置２１０が例えばハードディスクドライブで構成される場合には、1つのハードディスクではなく、複数のハードディスクを組み合わせ使用することもある。この場合、例えばハードディスク１でCH1、CH2のトランスポートストリームを記録再生、ハードディスク２でCH3、CH4のトランスポートストリームを記録再生など分散処理させることなどする。録画装置２１０には光ディスクがさらに追加されてもよいことは勿論である。
【００１０】
また録画再生制御部２００は、受信したチャンネルの番組信号もしくは録画装置２１０からの再生信号を選択処理して、MPEGデコーダ２１１に出力することができる。この場合、録画再生制御部２００は、システムコントロール部５１１内の出力番組信号選択部（図示せず）からの制御信号に基いて出力する番組信号を決定している。このように録画再生制御部２００から出力する番組信号は、チューナ装置１００からのリアルタイム放送の番組信号、または、録画装置２１０で再生された再生番組信号の場合がある。
【００１１】
MPEGデコーダ２１１でデコードされた表示信号は、オンスクリーン表示処理部２１２、ネットワーク接続部２１３を介してネットワーク上の例えばテレビジョン受信機７００に送出される。
【００１２】
尚、多チャンネル録画再生サーバ１０自身が、テレビジョン受信機７００内に組み込まれていてもよい。
【００１３】
３０１は、電子番組案内情報（EPG)処理部であり、EPGメモリ３０２を接続されている。EPGメモリ３０２は各チャンネルの電子番組案内情報を例えば１週間分蓄積している。この例は、例えば日本の地上デジタル放送のようにCH1-CH4の各トランスポートストリームから各チャンネルのEPG情報を抽出する例を示しているが、BSデジタル放送のように各チャンネルにBS全チャンネルのEPG情報が多重されている場合もある。いずれにしても、電子番組案内情報（EPG)処理部３０１、EPGメモリ３０２では多チャンネル受信装置で受信可能なチャンネル数分（図の例では4チャンネル）のEPG情報を受信、抽出し、記憶するものとする。
【００１４】
EPG処理部３０１は、操作入力に応じてEPGメモリ３０２のEPG情報を読出し、オンスクリーン表示処理部２１２に供給する。このときは、表示を要求したテレビジョン受信機の画面に例えば１週間分の番組案内を表示することができる。勿論、EPG処理部３０１は、電子番組案内情報を常に新しい内容に更新するようにCH1-CH4のトランスポートストリームからEPG情報を抽出し、EPGメモリ３０２に更新記憶する機能を備える。
【００１５】
１３はリモートコントローラである。リモコン受信部５１２は、リモートコントローラ１３からの操作信号を受信し、システムコントロール部５１１に供給する。システムコントロール部５１１は操作信号の内容に応じて、装置全体の動作を統括制御する。
【００１６】
ところで、録画再生制御部２００がトランスポートストリームを録画装置２１０の記録媒体に記録する場合、トランスポートストリームはコンテンツ記録再生処理部２０１を介して出力される。トランスポートストリームとしては、コピー可能コンテンツストリームとコピー不可能コンテンツストリームが存在する。ここで、コンテンツ記録再生処理部２０１は、コピー可能コンテンツストリームとコピー不可能コンテンツストリームとを混在させて記録することができる。また、読み出すときは隣り合うコンテンツストリームにのりしろを持たせて読み出すことができる。こののりしろは、データの欠落がないように、安全性を確保するために付加される。しかしこのままコピーを行なったのでは、本来コピー不可能な部分までもがコピーされて装置の信頼性を損なうことになる。そこで、この装置はさらに次のような制御部が設けられている。
【００１７】
録画装置２１０には、コピー及び移動制御部６００が接続されている。このコピー及び移動制御部６００は録画装置２１０のコンテンツを録画装置７００へコピー或いは移動するときに制約を与えることができる。
【００１８】
コピー及び移動制御部６００は、コピー処理部６３０、移動処理部６４０を有する。コピー処理部６３０は操作部の操作に応答し、コンテンツの選択とコピー開始指示があったとき、選択されたコンテンツを指定した保存先媒体へコピーする。移動処理部６３０は操作部の操作に応答し、コンテンツの選択と移動開始指示があったとき、選択されたコンテンツを指定した保存先媒体へ移動させる。なおコピー及び移動が実行されるときは、コピー及び移動がコピー制御情報により許可されている場合である。コピー制御情報に関連する機能を以下説明する。
【００１９】
またコピー及び移動制御部６００は、管理ファイル記録処理部６０１、管理ファイル解析部６０２を有する。この管理ファイル記録制御部６０１は、放送信号受信中のコンテンツストリームが録画装置２１０に記録されているときに、ストリームに含まれるコピー制御情報に基づいてコピー制御情報管理ファイルをリアルタイムで生成することができる。コピー制御情報管理ファイルは、録画装置２１０の記録媒体に記録されて保存されてもよいし、このコピー及び移動制御部６００内に設けられたメモリに格納されてもよい。
【００２０】
管理ファイル解析部６０２は、コピー制御情報管理ファイルを解析して、再生したストリームの中のコピー可能コンテンツストリームと、コピー不可能コンテンツストリームとを識別することができる。この識別結果に応じてコピー処理部６３０、移動処理部６４０の動作が制御される。
【００２１】
またこのコピー及び移動制御部６００には、ストリーム解析部６０３、新コピー制御情報生成部６０４が設けられている。ストリーム解析部６０３は、コピー制御情報管理ファイル内のコピー制御情報が読取り不可能なときは、前記記録媒体に記録されている前記コピー可能コンテンツストリーム及びまたはコピー不可能コンテンツストリームに含まれるコピー制御情報を解析する。この解析結果に基づいて、新コピー制御情報生成部６０４は新たなコピー制御情報を生成してコピー制御情報管理ファイルに格納することができる。
【００２２】
コピー制御情報管理ファイル内のコピー制御情報が読取り不可能なときは、例えばコピー制御情報が消失あるいは破損したような場合がある。またもともと、管理ファイルを有しないコンテンツが外部記憶媒体からそのままダビングされたような場合がある。
【００２３】
またコピー及び移動制御部６００には、ダビング回数管理部６１１が設けられていてもよい。
【００２４】
図２にはチューナ部１０１−１０４のいずれか１つ例えばチューナ部１０１の構成例を示している。アンテナ入力は、選局部１２１で選局され、選局されたチャンネルのストリーム信号は、分離部１２２を介してデスクランブラ１２３に入力される。分離部１２２は制御信号（ECM）、制御信号（EMM)を分離する。分離部１２２で分離された制御信号（ECM）は、ICカード１３０に入力される。制御信号（EMM)は、分離部１２４においてカードIDを用いて当該カードIDのEMMのみ分離されてICカードに入力される。制御信号（ECM）、制御信号（EMM)の詳細は、例えば、電波産業界（ARIB）標準規格（STD  B-25）デジタル放送におけるアクセス制御方式の第1部、第3章、関連情報サブシステムに記載のECM、EMMである。
【００２５】
ICカード１３０内では、制御信号ECM,EMMを用いてスクランブル鍵が得られる。このスクランブル鍵を利用して、デスクランブラ１２３では、トランスポートストリーム中の映像、音声、データのスクランブルされたトランスポートストリームパケットがデスクランブルされて出力される。上記の例は、ICカード１３０がそれぞれチューナ部に使用されるタイプを示したが、複数のチューナ部で１つのICカードを兼用するタイプであってもよい。
【００２６】
図３（Ａ）、図３（Ｂ）はこの発明の装置の特徴部の機能を説明するための図である。図３（Ａ）に示すようにこの発明の装置では、情報記録媒体にコピー可能コンテンツストリームとコピー不可能コンテンツストリームとを混在させて記録することができる。このストリームの例えば指定されたコンテンツを読取る場合、制御情報が途切れるのを保障するために、読取り時には隣り合うコンテンツストリームにのりしろを持たせて読取る。
【００２７】
一方、録画装置２１０の記録媒体にコピー可能コンテンツストリーム及びまたはコピー不可能コンテンツストリームが記録されるとき、管理ファイル記録処理部６０１は、各コンテンツストリームに含まれるコピー制御情報をチェックする。そして、コピー制御情報管理ファイルを生成して保存部に記録する。保存部は、録画装置２１０の記録媒体の一部が利用されてもよいし、独自にコピー及び移動制御部６００内に設けたメモリが利用されてもよい。
【００２８】
今、図３（Ａ）に示すように、のりしろ８０１の情報がコピー制限されているコンテンツであり、領域８０２の情報がダビング可能コンテンツストリームであり、のりしろ８０３の情報がダビング不可能コンテンツストリームであったとする。このときはこのストリームのコピー制御情報を管理するコピー制御情報管理ファイルは、のりしろ８０１の部分の管理情報（コピー可能回数：０、先頭からのパケット数：０）、領域８０２の部分の管理情報（コピー可能回数：１０、先頭からのパケット数：１００）、のりしろ８０３以後の部分の管理情報（コピー可能回数：０、先頭からのパケット数：１０００）を生成する。なお記録方向は図面上で左から右方向とする。管理情報は、コピー可能回数と、先頭からのパケット数を有する。
【００２９】
今、領域８０２に記録されているコンテンツのダビングを行うように操作信号がリモートコントローラ１３から与えられたとする。すると、管理ファイル解析部６０４は、先の管理ファイルを解析して、コピー可能なコンテンツストリームのみを特定することができる。つまり、図３（Ｂ）に示すように、ストリームののりしろ８０１から領域８０２、つづいてのりしろ８０３までの再生が行なわれたとしても、管理ファイルのパケット数からのりしろ８０１、領域８０２、のりしろ８０３の領域を識別できる。したがって、領域８０２のストリームのみをコピー処理することができる。
【００３０】
図４は、コピー制御情報管理ファイルが存在しない場合、又は存在したとしてもコピー制御情報が消失又は破損しているような場合の動作を説明する図である。この場合は、のりしろ８０１、領域８０２、のりしろ８０３の領域のストリームが読み出され、このストリームの制御レイヤーに含まれるコピー制御情報がストリーム解析部６０３により解析される。そして、コピー可能なコンテンツストリームのみがコピーされる。
【００３１】
図５は、コピー制御情報管理ファイルが存在しない場合、又は存在したとしてもコピー制御情報が消失又は破損しているような場合の他の動作を説明する図である。ストリーム解析が行なわれると、のりしろ８０１、領域８０２、のりしろ８０３の領域のコピー制御情報及びパケット数が判明するので、新コピー制御情報生成部６０４によりコピー制御情報が作成される。そして、コピー制御情報管理ファイルに格納される。図５の例では、先の図３と同様に、のりしろ８０１の部分の管理情報（コピー可能回数：０、先頭からのパケット数：０）、領域８０２の部分の管理情報（コピー可能回数：１０、先頭からのパケット数：１００）、のりしろ８０３以後の部分の管理情報（コピー可能回数：０、先頭からのパケット数：１０００）を生成された例を示している。
【００３２】
図６には、録画装置２１０の情報記録媒体に複数のタイトル（あるいは番組）がコンテンツストリームの形で記録されているとき、一部の番組をコピーする際の動作をフローチャートで示している。コピー動作モードが例えばリモートコントローラを介して選択される。するとシステムコントロール部５１１の制御に基づいて、タイトル管理情報テーブルから録画済みタイトル名（又は番組名）が読み出され、表示器７００に表示される（ステップＳＡ１，ＳＡ２）。なおタイトル管理情報テーブルは、一般的な記録再生装置に例えばＤＶＤレコーダなどに規定されているテーブルと同様なテーブルである。この管理情報テーブルには、例えば各記録したタイトルのエントリー情報あるいは開始アドレス、終了アドレスが記述されている。
【００３３】
次に利用者は画面を見ながらリモートコントローラを操作し、所望のタイトル名（又は番組名）を選択し、決定ボタンを操作する（ステップＳＡ３）。すると、選択されたタイトルに対してのりしろをつけてコンテンツ記録再生処理部が読み出す（ステップＳＡ４）。次に管理ファイル解析部６０２が、コピー制御情報管理ファイルを解析し、コピー可能コンテンツストリームのみを抽出する。これによりコピー処理部６３０は、抽出されたコンテンツストリームのコピー処理を実行し（ステップＳＡ６）、当該タイトルに関するダビング回数の更新が行なわれる。ダイビング回数が残り一回になると、移動処理部６４０の移動処理が実行され、今後は当該コンテンツのダビングは不可能となる。
【００３４】
図７はさらに本発明装置の別の動作例を示すフローチャートである。図６と共通する部分には同一の符号を示している。図６の動作例ではステップＳＡ４の次にコピー制御情報管理ファイルの解析が行なわれたが、図７の例は、コピー制御情報管理ファイルが無いか又は消失又は破損しているような事態が生じた例を示している（ステップＳＢ１）。
【００３５】
このようなときは、指定されたストリームの部分がのりしろ部分も含めてストリーム解析される（ステップＳＢ２）。この解析においてコピー制御情報が参照され、コピー可能なコンテンツストリームを抽出することができる（ステップＳＢ３）。抽出されたコンテンツストリームのコピー処理が実行される（ステップＳＡ６）。またストリーム解析されることにより、コピー制御情報管理ファイルを作成することができる（ステップＳＢ４）。そして新コピー制御情報として格納する（ステップＳＢ５）。
【００３６】
上記したようにこの発明によると、コピー可能コンテンツをダビングするときにコピー制御情報管理ファイルのコピー制御情報に基づいて、コピー可能コンテンツだけをダビングできる。特にのりしろの部分で、コピー不可能コンテンツが存在するような場合にコピー不可能コンテンツを避けてコピー可能コンテンツのみを取り出すことが可能となる。つまり、コピー不可能部分をコピーすることがない。また、コピー不可能コンテンツの部分のコピー制御情報のみを判断して、全体のコピーを中止するような不具合が防止できる。
【００３７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３８】
【図１】この発明が適用された例えば多チャンネル録画再生サーバ１０の構成例を示す図である。
【図２】チューナ部１０１の構成例を示す図である。
【図３】この発明の装置の特徴部の機能を説明するための図である。
【図４】この発明の装置においてコピー制御情報管理ファイルが存在しない場合、又は存在したとしてもコピー制御情報が消失又は破損しているような場合の動作を説明する図である。
【図５】この発明の装置においてコピー制御情報管理ファイルが存在しない場合、又は存在したとしてもコピー制御情報が消失又は破損しているような場合の他の動作を説明する図である。
【図６】この発明の装置の動作例を示すフローチャートである。
【図７】この発明の装置の他の動作例を示すフローチャートである。
【符号の説明】
【００３９】
１００・・・チューナ装置、２００・・・録画再生制御部、２０１・・・コンテンツ記録再生処理部、２１１・・・ＭＰＥＧデコーダ、２１２・・・オンスクリーン表示処理部、２１３・・・ネットワークインターフェース、３０１・・・電子番組案内情報（EPG)処理部、３０２・・・ＥＰＧメモリ、６００・・・コピー及び移動制御部、６０１・・・管理ファイル記録処理部、６０２・・・管理ファイル解析部、６０３・・・ストリーム解析部、６０４・・・新コピー制御情報生成部、６０５・・・ダビング回数管理部、６３０・・・コピー処理部、６４０・・・移動処理部。
【図１】
2010009699.tif 000003
【図２】
2010009699.tif 000004
【図３】
2010009699.tif 000005
【図４】
2010009699.tif 000006
【図５】
2010009699.tif 000007
【図６】
2010009699.tif 000008
【図７】
2010009699.tif 000009